(57)【要約】【課題】簡単に組み立てられる稜部及び角保護用の段ボール製緩衝材を提供する。【解決手段】受止壁１に沿って添当壁２が起立すると共に、受止壁１及び添当壁２の側方にそれぞれ側受壁３及び側当壁４が起立し、これらは共有する外面板１１に順次連設された縁板１２、内面板１３、巻込板１４及び重合板１５の巻き込むような折り曲げに伴い角筒構造とされ、受止壁１及び添当壁２の側端部に側受壁３及び側当壁４を回避する切欠部１６が設けられたものとする。そして、側当壁４の内面板１３には、縁板１２から巻込板１４へかけて切目１８ａが入れられて、その内側の係止片部１８では、縁板１２との境界の稜線が外面板１１に近接する方向へずらされ、係止片部１８が中折線１８ｂ沿いに突き出すように屈曲して、添当壁２の内面板１３の裏面に当接することにより、添当壁２と側当壁４とが係合し、組立形状が維持されるようにする。【選択図】図４
2018090260.tif 000002
【特許請求の範囲】
【請求項１】
受止壁(1)に沿って添当壁(2)が起立すると共に、受止壁(1)及び添当壁(2)の側方にそれぞれ側受壁(3)及び側当壁(4)が起立し、
これらは共有する外面板(11)に順次連設された縁板(12)、内面板(13)及び巻込板(14)の巻き込むような折り曲げに伴い、内面板(13)が外面板(11)に、巻込板(14)が縁板(12)にそれぞれ対向した角筒構造とされ、
前記受止壁(1)及び添当壁(2)の側端部には、それぞれ側受壁(3)及び側当壁(4)を回避する切欠部(16)が内面板(13)から縁板(12)及び巻込板(14)へかけて設けられ、
前記側当壁(4)の内面板(13)には、縁板(12)から巻込板(14)へかけて切目(18a)が入れられ、その内面板(13)の切目(18a)より内側の係止片部(18)では、内面板(13)の切目(18a)より端部側に対して、縁板(12)との境界の稜線が外面板(11)に近接する方向へずらされ、前記係止片部(18)の中間部に幅方向の中折線(18b)が入れられ、
前記係止片部(18)が中折線(18b)沿いに突き出すように屈曲して、添当壁(2)の内面板(13)の裏面に当接することにより、添当壁(2)と側当壁(4)とが係合し、組立形状が維持される段ボール製緩衝材。
【請求項２】
前記添当壁(2)の切欠部(16)の内端縁側と側当壁(4)側との開口斜線寸法(m)が、前記巻込板(14)と重合板(15)の境界から係止片部(18)の中折線(18b)までの係入寸法(n)以上となっていることを特徴とする請求項１に記載の段ボール製緩衝材。
【請求項３】
前記受止壁(1)には、内面板(13)の巻込板(14)側に突出する係合片(19)が設けられ、前記添当壁(2)には、内面板(13)から巻込板(14)へかけて開口する係合穴(20)が設けられ、  前記係合片(19)が係合穴(20)に押し込まれて、受止壁(1)、添当壁(2)、側受壁(3)及び側当壁(3)の折り曲げの反発が抑制され、これらの角筒構造が維持されることを特徴とする請求項１又は２に記載の段ボール製緩衝材。
【発明の詳細な説明】
【技術分野】
【０００１】
この発明は、梱包する物品の稜部と角を輸送時の衝撃から保護する段ボール製緩衝材に関するものである。
【背景技術】
【０００２】
家電製品等の物品の梱包に際し、物品の稜部とその両方の角を３方向の衝撃から保護する段ボール製緩衝材として、本件特許出願の出願人は、図６に示すようなものを提案している（下記特許文献１参照）。
【０００３】
この緩衝材は、受止壁５１の後方に添当壁５２が起立すると共に、受止壁５１の両側方に側受壁５３が起立したものであり、受止壁５１、添当壁５２及び側受壁５３は、それぞれ外面板５４、頂板５５、内面板５６及び巻込板５７を巻き込んで形成されている。
【０００４】
受止壁５１及び添当壁５２は、外面板５４と内面板５６の間隔を維持するため、切目を境に分割された頂板５５と外面板５４及び内面板５６の稜線が互い違いにずらされて、隣り合う頂板５５が交互に逆方向に傾斜した形状となっている。
【０００５】
側受壁５３の外面板５４には抱込板５８が連設され、抱込板５８が添当壁５２の外面板５４に沿って折り曲げられ、抱込板５８の先端の係合突起５９が添当壁５２の外面板５４の係合穴６０に押し込まれることにより、受止壁５１に対する添当壁５２と側受壁５３の起立状態が維持されるようになっている。
【先行技術文献】
【特許文献】
【０００６】
【特許文献１】特開２００３−１７５９８２号公報
【発明の概要】
【発明が解決しようとする課題】
【０００７】
しかしながら、上記のような段ボール製緩衝材は、各部の折り曲げにより所定の形状に組み立てて、その形状を維持する手順が比較的煩雑であることから、物品の梱包作業に時間を要するという問題がある。
【０００８】
そこで、この発明は、簡単に組み立てることができ、物品梱包作業の効率化を図ることができる段ボール製緩衝材を提供することを課題とする。
【課題を解決するための手段】
【０００９】
上記課題を解決するため、この発明に係る段ボール製緩衝材は、受止壁に沿って添当壁が起立すると共に、受止壁及び添当壁の側方にそれぞれ側受壁及び側当壁が起立し、
これらは共有する外面板に順次連設された縁板、内面板及び巻込板の巻き込むような折り曲げに伴い、内面板が外面板に、巻込板が縁板にそれぞれ対向した角筒構造とされ、
前記受止壁及び添当壁の側端部には、それぞれ側受壁及び側当壁を回避する切欠部が内面板から縁板及び巻込板へかけて設けられ、
前記側当壁の内面板には、縁板から巻込板へかけて切目が入れられ、その内面板の切目より内側の係止片部では、内面板の切目より端部側に対して、縁板との境界の稜線が外面板に近接する方向へずらされ、前記係止片部の中間部に幅方向の中折線が入れられ、
前記係止片部が中折線沿いに突き出すように屈曲して、添当壁の内面板の裏面に当接することにより、添当壁と側当壁とが係合し、組立形状が維持されるものとしたのである。
【００１０】
また、前記添当壁の切欠部の内端縁側と側当壁側との開口斜線寸法が、前記巻込板と重合板の境界から係止片部の中折線までの係入寸法以上となっているものとしたのである。
【００１１】
また、前記受止壁には、内面板の巻込板側に突出する係合片が設けられ、前記添当壁には、内面板から巻込板へかけて開口する係合穴が設けられ、前記係合片が係合穴に押し込まれて、受止壁、添当壁、側受壁及び側当壁の折り曲げの反発が抑制され、これらの角筒構造が維持されるものとしたのである。
【発明の効果】
【００１２】
この発明に係る段ボール製緩衝材は、受止壁及び添当壁に対し側受壁及び側当壁を起立させ、側当壁を潰した状態から復元する際、中折線に沿って屈曲した状態で突出している係止片部を、切欠部を介して添当壁の内部に挿入し、添当壁の内面に沿ってスライドさせるだけで、添当壁と側当壁とが係合して、組立形状が維持されるので、簡単に組み立てることができ、物品の梱包作業の効率を向上させることができる。
【図面の簡単な説明】
【００１３】
【図１】この発明の実施形態に係る段ボール製緩衝材のブランクを示す図
【図２】同上の組立過程の初期段階を示す斜視図
【図３】同上の組立過程を中間段階を示す斜視図
【図４】同上の組立状態を示す斜視図
【図５】同上の（Ｉ）係止片部を切欠部に挿入してスライドさせる組立過程を示す端部平面図、（II）係止片部が側当壁に係合した組立状態を示す端部平面図
【図６】特許文献１に記載の段ボール製緩衝材の組立状態を示す斜視図
【発明を実施するための形態】
【００１４】
以下、この発明の実施形態を添付図面に基づいて説明する。
【００１５】
この緩衝材は、図１に示すような段ボール製のブランクから組み立てられる。このブランクでは、受止壁１及び添当壁２となる部分が便宜上規定した前後方向に配置され、受止壁１の部分の両側に側受壁３となる部分が、添当壁２の両側に側当壁４となる部分がそれぞれ配置されている。
【００１６】
受止壁１、添当壁２、側受壁３及び側当壁４は、帯状の外面板１１を共有し、これを基本として、受止壁１及び側受壁３は外面板１１の前側に、添当壁２及び側当壁４は外面板１１の後側にそれぞれ順次連設された縁板１２、内面板１３、巻込板１４及び重合板１５から成るものとされ、それらの境界には稜線となる罫線が入れられている。
【００１７】
添当壁２と側当壁４の縁板１２及び巻込板１４は、受止壁１と側受壁３の縁板１２及び巻込板１４よりも上下方向の寸法が大きく設定され、組立時に受止壁１と添当壁２の間及び側受壁３と側当壁４の間に段差が形成されるようになっている。
【００１８】
受止壁１及び添当壁２の両側端部には、それぞれ組立時に側受壁３及び側当壁４を回避するための切欠部１６が内面板１３から縁板１２及び巻込板１４へかけて設けられ、添当壁２の切欠部１６は、受止壁１の切欠部１６よりも大きくなっている。
【００１９】
受止壁１と側受壁３の境界と、添当壁２と側当壁４の境界は、それぞれ切欠部１６の外端縁寄りに位置し、その境界における折曲抵抗を軽減するため、外面板１１の罫線の中間部には長穴状の切込１７が設けられ、重合板１５同士の境界には、罫線の端縁側に開放された切込１７が設けられている。
【００２０】
そして、側当壁４の内面板１３には、縁板１２から巻込板１４へかけて切目１８ａが入れられ、その内面板１３の切目１８ａより内側の部分が係止片部１８とされている。
【００２１】
係止片部１８では、内面板１３の切目１８ａより端部側に対して、縁板１２との境界の稜線が外面板１１に近接する方向へずらされ、係止片部１８の中間部に幅方向の罫線である中折線１８ｂが入れられている。
【００２２】
ここで、添当壁２の切欠部１６の内端縁側と側当壁４側との開口斜線寸法ｍは、巻込板１４と重合板１５の境界から係止片部１８の中折線１８ｂまでの係入寸法ｎと同一かそれより大きく設定されている。
【００２３】
また、受止壁１には、内面板１３の巻込板１４側に突出する係合片１９が設けられ、添当壁２には、内面板１３から巻込板１４へかけて開口する係合穴２０が設けられている。係合片１９は、係合穴２０よりも幅が広く、その両側に入れられた罫線より端部側が折曲部１９ａとされている。
【００２４】
このようなブランクから緩衝材を組み立てるには、図２に示すように、外面板１１の前側及び後側の部分の巻き込むような折り曲げに伴い、縁板１２を外面板１１から立ち上がらせ、内面板１３を外面板１１に対向させ、巻込板１４を縁板１２に対向させて、重合板１５を外面板１１に重ね合わせることにより、受止壁１、添当壁２、側受壁３及び側当壁４を角筒構造に形成する。
【００２５】
この折り曲げに際しては、受止壁１と側受壁３及び添当壁２と側当壁４がそれぞれ重合板１５で繋がっているため、連動して折り曲げられる。また、この折り曲げに伴い、側当壁４の係止片部１８が中折線１８ｂに沿って突き出すように屈曲する。
【００２６】
そして、係合片１９を係合穴２０に押し込むと、係合片１９の折曲部１９ａが跳ね上がるように折れ曲がった後、弾性で復元して、係合片１９が係合穴２０から抜け止めされた状態となり、受止壁１、添当壁２、側受壁３及び側当壁４の折り曲げの反発が抑制され、これらの角筒構造が維持される。
【００２７】
この状態から、図３に示すように、受止壁１及び添当壁２から両側の側受壁３と側当壁４を起立させると、重なり合った外面板１１と重合板１５が切欠部１６の外端寄りで折り曲げられる。このとき、図３及び図５（Ｉ）に示すように、側当壁４は、切目１８ａより端部側の部分が平行四辺形状となるように潰した状態としておく。
【００２８】
次に、中折線１８ｂに沿った屈曲により突出した係止片部１８を、切欠部１６を介して添当壁２の内部に挿入し、側当壁４の形状を復元すると、係止片部１８が添当壁２の内面に沿ってスライドする。
【００２９】
これにより、図４及び図５（II）に示すように、係止片部１８が添当壁２の内面板１３の裏面に当接して、添当壁２と側当壁４とが係合した状態となり、受止壁１及び添当壁２に対して側受壁３及び側当壁４が起立した組立形状が維持される。
【００３０】
上記のように、この段ボール製緩衝材は、受止壁１及び添当壁２に対し側受壁３及び側当壁４を起立させ、側当壁４を潰した状態から復元する際、中折線１８ｂに沿って屈曲した状態で突出している係止片部１８を、切欠部１６を介して添当壁２の内部に挿入し、添当壁２の内面に沿ってスライドさせるだけで、添当壁２と側当壁４とが係合して、組立形状が維持されるので、簡単に組み立てることができる。
【００３１】
そして、受止壁１及び添当壁２に対して側受壁３及び側当壁４が倒れにくい堅固な構造となるので、物品を受止壁１と添当壁２及び側受壁３と側当壁４の段差に沿わせて梱包することにより、物品の稜部とその両方の角を３方向の衝撃から保護することができる。
【００３２】
なお、上記実施形態では、物品の稜部とその両方の角を１つの緩衝材で保護するため、受止壁１及び添当壁２の両側に側受壁３及び側当壁４を有するものを例示したが、物品の各角をそれぞれ別個の緩衝材で保護する場合には、各緩衝材は、受止壁１及び添当壁２の片側にのみ側受壁３及び側当壁４が設けられたものとしてもよい。
【００３３】
すなわち、片側の側壁４の係止片部１８により添当壁２と側当壁４とが係合して、組立形状が維持されるものとしてもよい。
【００３４】
また、係止片部１８の中間部に１本の中折線１８ｂが入れられたものを例示したが、係止片部１８の中間部に２本以上の中折線１８ｂが間隔をあけて入れられたものとし、それらの中折線１８ｂに沿って係止片部１８が屈曲するようにしてもよい。
【００３５】
また、組立状態での堅牢性を強固なものとするため、受止壁１、添当壁２、側受壁３及び側当壁４がそれぞれ外面板１１に重なる重合板１５を有するものを例示したが、物品の重量や輸送形態を考慮して、これらの重合板１５を省略し、巻込板１４の先端が外面板１１に係合する構造としてもよい。
【符号の説明】
【００３６】
１  受止壁
２  添当壁
３  側受壁
４  側当壁
１１  外面板
１２  縁板
１３  内面板
１４  巻込板
１５  重合板
１６  切欠部
１７  切込
１８  係止片部
１８ａ  切目
１８ｂ  中折線
１９  係合片
１９ａ  折曲部
２０  係合穴
ｍ  開口斜線寸法
ｎ  係入寸法
【図１】
2018090260.tif 000003
【図２】
2018090260.tif 000004
【図３】
2018090260.tif 000005
【図４】
2018090260.tif 000006
【図５】
2018090260.tif 000007
【図６】
2018090260.tif 000008